(57)【要約】【課題】データベースから引用してドキュメント作成を行っても、データベースの更新に合わせて最新の情報をドキュメントに反映することが可能な文書処理方法、装置およびプログラムを提供する。【解決手段】文書処理装置は文書をサーバ等から取得するとともに、文書の保管場所を示す位置情報を取得し、文書に位置情報を付帯し、この時、文書が複数の頁から構成される際には、文書の各頁毎に各頁における位置情報を付帯し、文書の中からドキュメントとして編集したい頁を抽出し、文書の頁をドキュメントとして編集する。そして、文書処理装置はドキュメントを表示する際には、ドキュメントの各頁に付帯する位置情報に基づき、各頁のデータソースが更新されているか否かサーバ等に問い合わせ、更新されていることを確認すると、更新後の文書を取得し、更新後の文書に位置情報を付帯し、文書を編集して表示する。【選択図】　図１
2004102599.tif 000002
【特許請求の範囲】
【請求項１】
文書を処理する文書処理方法において、
ネットワーク上のサーバに格納された文書を取得するとともに、該サーバにおける該文書の格納場所を示す位置情報を取得し、該取得した文書に該位置情報を付帯し、該文書を所定の統一フォーマットに変換して記憶し、
その後、前記文書を表示する際に、該文書に付帯する位置情報を抽出し、該抽出した位置情報に基づいて前記サーバに該文書の更新の有無を問い合わせ、
前記文書が更新されている場合、前記サーバから更新後の文書を取得し、該取得した更新後の文書に前記位置情報を付帯し、該文書を所定の統一フォーマットに変換して表示する
ことを特徴とする文書処理方法。
【請求項２】
前記文書が複数の頁から構成され、各頁毎に位置情報が存在する際には、該各頁毎の位置情報を取得し、該取得した各頁毎の位置情報を各頁に付帯する
ことを特徴とする請求項１記載の文書処理方法。
【請求項３】
ネットワーク上の第１のサーバから取得した第１の文書と、ネットワーク上の第２のサーバから取得した第２の文書とを合成して所定の統一フォーマットに変換された合成文書を表示する際に、
前記第１の文書に付帯する第１の位置情報に基づいて前記第１のサーバに該第１の文書の更新の有無を問い合わせるとともに、前記第２の文書に付帯する第２の位置情報に基づいて前記第２のサーバに該第２の文書の更新の有無を問い合わせる
ことを特徴とする請求項１記載の文書処理方法。
【請求項４】
前記文書が更新されている際に、前記サーバから更新後の文書を取得するか否かをユーザが指定する
ことを特徴とする請求項１記載の文書処理方法。
【請求項５】
文書を処理する文書処理装置において、
ネットワーク上のサーバに格納された文書を取得する文書取得手段と、
前記文書取得手段で文書を取得する際に、前記サーバにおける該文書の格納場所を示す位置情報を取得する位置情報取得手段と、
前記位置情報取得手段で取得した位置情報を前記文書に付帯する位置情報付帯手段と、
前記位置情報が付帯する文書を所定の統一フォーマットに変換する所定の統一フォーマット手段と、
前記所定の統一フォーマットに変換された文書を表示する表示手段と、
前記表示手段に文書を表示する際に、前記位置情報に基づいて前記サーバに前記文書の更新の有無を問い合わせる更新確認手段と
を具備し、
前記更新確認手段で前記文書が更新されていることを確認した際に、前記文書取得手段は前記サーバから更新後の文書を取得する
ことを特徴とする文書処理装置。
【請求項６】
前記位置情報取得手段は、
前記文書が複数の頁から構成され、各頁毎に位置情報が存在する際には、該各頁毎の位置情報を取得し、
前記位置情報付帯手段は、
前記位置情報取得手段で取得した各頁毎の位置情報を前記文書の各頁に付帯する
ことを特徴とする請求項５記載の文書処理装置。
【請求項７】
前記更新確認手段は、
ネットワーク上の第１のサーバから取得した第１の文書と、ネットワーク上の第２のサーバから取得した第２の文書とを合成して所定の統一フォーマットに変換された合成文書を表示する際に、
前記第１の文書に付帯する第１の位置情報に基づいて前記第１のサーバに該第１の文書の更新の有無を問い合わせるとともに、前記第２の文書に付帯する第２の位置情報に基づいて前記第２のサーバに該第２の文書の更新の有無を問い合わせる
ことを特徴とする請求項５記載の文書処理装置。
【請求項８】
前記更新確認手段により、前記文書が更新されていることを確認した際に、前記サーバから更新後の文書を取得するか否かをユーザが指定する指定手段
を更に具備することを特徴とする請求項５記載の文書処理装置。
【請求項９】
文書を処理するドキュメントハンドリングソフトウェアである文書処理プログラムにおいて、
ネットワーク上のサーバに格納された文書を取得する処理と、
前記文書を取得するとともに、前記サーバにおける該文書の格納場所を示す位置情報を取得する処理と、
該取得した位置情報を前記文書に付帯する処理と、
前記位置情報を付帯する文書を所定の統一フォーマットに変換する処理と、
前記文書を表示する際に、前記位置情報に基づいて前記サーバに前記文書の更新の有無を問い合わせる処理と、
前記文書が更新されていることを確認した際に、前記サーバから更新後の文書を取得する処理と
をコンピュータに動作させることを特徴とする文書処理プログラム。
【請求項１０】
前記文書が複数の頁から構成され、各頁毎に位置情報が存在する際には、該各頁毎の位置情報を取得する処理と、
前記文書の各頁に前記各頁毎の位置情報を付帯する処理と
をコンピュータに動作させることを特徴とする請求項９記載の文書処理プログラム。
【請求項１１】
ネットワーク上の第１のサーバから取得した第１の文書と、ネットワーク上の第２のサーバから取得した第２の文書とを合成して所定の統一フォーマットに変換された合成文書を表示する際に、
前記第１の文書に付帯する第１の位置情報に基づいて前記第１のサーバに該第１の文書の更新の有無を問い合わせるとともに、前記第２の文書に付帯する第２の位置情報に基づいて前記第２のサーバに該第２の文書の更新の有無を問い合わせる
ことを特徴とする請求項９記載の文書処理プログラム。
【請求項１２】
前記文書が更新されていることを確認した際に、前記サーバから更新後の文書を取得するか否かをユーザに指定させる処理
をコンピュータに動作させることを特徴とする請求項９記載の文書処理プログラム。
【発明の詳細な説明】
【０００１】
【発明の属する技術分野】
本発明は、文書処理方法、装置およびプログラムに関し、特に、文書の更新を管理して常に最新の情報を反映する文書を提供する文書処理方法、装置およびプログラムに関する。
【０００２】
【従来の技術】
従来、ドキュメントハンドリングソフトウェアとして、実際の紙文書をスキャナ等で読み取った電子文書、またはワードプロセッサ等の電子文書を、様々なオペレーションシステムで扱うことができる所定の統一した静的文書フォーマットに変換し、異なる媒体または異なるフォーマットの情報を１つのドキュメントに仕立て、ドキュメントの頁分割および頁の束ね等といった操作を行うことが可能なソフトウェアが知られている。
【０００３】
このドキュメントハンドリングソフトウェアを利用することで、既存文書ベースの資料の作成が容易になり、電子形態でのドキュメントの利用に大きなメリットを加えた。
【０００４】
更に、Ｗｅｂサーバによる情報の発信が増加している現在では、資料のベースとしてブラウザ出力を利用する機会が非常に多くなっている。そして、情報の発信のタイムラグは非常に短くなるとともに、情報の更新は頻繁に繰り返されるようになっている。また、イントラネット（ｉｎｔｒａｎｅｔ）の普及が進んでいる企業では、通常のワードプロセッサによる電子文書であっても公開および更新の頻度は多くなってきている。
【０００５】
【発明が解決しようとする課題】
しかし、従来のドキュメントハンドリングソフトウェアでは、一旦ドキュメントに仕立てた電子文書は、用紙サイズベースの静的文書フォーマットに変換しているため、ベースとなった文書が更新されたとしても、その更新に合わせてドキュメントに仕立てた電子文書を更新することはできなかった。
【０００６】
そこで、本発明は、データベースから引用してドキュメント作成を行っても、データベースの更新に合わせて最新の情報をドキュメントに反映することが可能な文書処理方法、装置およびプログラムを提供することを目的とする。
【０００７】
【課題を解決するための手段】
上記目的を達成するために、請求項１の発明は、文書を処理する文書処理方法において、ネットワーク上のサーバに格納された文書を取得するとともに、該サーバにおける該文書の格納場所を示す位置情報を取得し、該取得した文書に該位置情報を付帯し、該文書を所定の統一フォーマットに変換して記憶し、その後、前記文書を表示する際に、該文書に付帯する位置情報を抽出し、該抽出した位置情報に基づいて前記サーバに該文書の更新の有無を問い合わせ、前記文書が更新されている場合、前記サーバから更新後の文書を取得し、該取得した更新後の文書に前記位置情報を付帯し、該文書を所定の統一フォーマットに変換して表示することを特徴とする。
【０００８】
また、請求項２の発明は、請求項１の発明において、前記文書が複数の頁から構成され、各頁毎に位置情報が存在する際には、該各頁毎の位置情報を取得し、該取得した各頁毎の位置情報を各頁に付帯することを特徴とする。
【０００９】
また、請求項３の発明は、請求項１の発明において、ネットワーク上の第１のサーバから取得した第１の文書と、ネットワーク上の第２のサーバから取得した第２の文書とを合成して所定の統一フォーマットに変換された合成文書を表示する際に、前記第１の文書に付帯する第１の位置情報に基づいて前記第１のサーバに該第１の文書の更新の有無を問い合わせるとともに、前記第２の文書に付帯する第２の位置情報に基づいて前記第２のサーバに該第２の文書の更新の有無を問い合わせることを特徴とする。
【００１０】
また、請求項４の発明は、請求項１の発明において、前記文書が更新されている際に、前記サーバから更新後の文書を取得するか否かをユーザが指定することを特徴とする。
【００１１】
また、請求項５の発明は、文書を処理する文書処理装置において、ネットワーク上のサーバに格納された文書を取得する文書取得手段と、前記文書取得手段で文書を取得する際に、前記サーバにおける該文書の格納場所を示す位置情報を取得する位置情報取得手段と、前記位置情報取得手段で取得した位置情報を前記文書に付帯する位置情報付帯手段と、前記位置情報が付帯する文書を所定の統一フォーマットに変換する所定の統一フォーマット手段と、前記所定の統一フォーマットに変換された文書を表示する表示手段と、前記表示手段に文書を表示する際に、前記位置情報に基づいて前記サーバに前記文書の更新の有無を問い合わせる更新確認手段とを具備し、前記更新確認手段で前記文書が更新されていることを確認した際に、前記文書取得手段は前記サーバから更新後の文書を取得することを特徴とする。
【００１２】
また、請求項６の発明は、請求項５の発明において、前記位置情報取得手段は、前記文書が複数の頁から構成され、各頁毎に位置情報が存在する際には、該各頁毎の位置情報を取得し、前記位置情報付帯手段は、前記位置情報取得手段で取得した各頁毎の位置情報を前記文書の各頁に付帯することを特徴とする。
【００１３】
また、請求項７の発明は、請求項５の発明において、前記更新確認手段は、ネットワーク上の第１のサーバから取得した第１の文書と、ネットワーク上の第２のサーバから取得した第２の文書とを合成して所定の統一フォーマットに変換された合成文書を表示する際に、前記第１の文書に付帯する第１の位置情報に基づいて前記第１のサーバに該第１の文書の更新の有無を問い合わせるとともに、前記第２の文書に付帯する第２の位置情報に基づいて前記第２のサーバに該第２の文書の更新の有無を問い合わせることを特徴とする。
【００１４】
また、請求項８の発明は、請求項５の発明において、前記更新確認手段により、前記文書が更新されていることを確認した際に、前記サーバから更新後の文書を取得するか否かをユーザが指定する指定手段を更に具備することを特徴とする。
【００１５】
また、請求項９の発明は、文書を処理するドキュメントハンドリングソフトウェアである文書処理プログラムにおいて、ネットワーク上のサーバに格納された文書を取得する処理と、前記文書を取得するとともに、前記サーバにおける該文書の格納場所を示す位置情報を取得する処理と、該取得した位置情報を前記文書に付帯する処理と、前記位置情報を付帯する文書を所定の統一フォーマットに変換する処理と、前記文書を表示する際に、前記位置情報に基づいて前記サーバに前記文書の更新の有無を問い合わせる処理と、前記文書が更新されていることを確認した際に、前記サーバから更新後の文書を取得する処理とをコンピュータに動作させることを特徴とする。
【００１６】
また、請求項１０の発明は、請求項９の発明において、前記文書が複数の頁から構成され、各頁毎に位置情報が存在する際には、該各頁毎の位置情報を取得する処理と、前記文書の各頁に前記各頁毎の位置情報を付帯する処理とをコンピュータに動作させることを特徴とする。
【００１７】
また、請求項１１の発明は、請求項９の発明において、ネットワーク上の第１のサーバから取得した第１の文書と、ネットワーク上の第２のサーバから取得した第２の文書とを合成して所定の統一フォーマットに変換された合成文書を表示する際に、前記第１の文書に付帯する第１の位置情報に基づいて前記第１のサーバに該第１の文書の更新の有無を問い合わせるとともに、前記第２の文書に付帯する第２の位置情報に基づいて前記第２のサーバに該第２の文書の更新の有無を問い合わせることを特徴とする。
【００１８】
また、請求項１２の発明は、請求項９の発明において、前記文書が更新されていることを確認した際に、前記サーバから更新後の文書を取得するか否かをユーザに指定させる処理をコンピュータに動作させることを特徴とする。
【００１９】
【発明の実施の形態】
以下、本発明に係わる文書処理方法、装置およびプログラムの実施の形態について添付図面を参照して詳細に説明する。
【００２０】
図１は、本発明に係わる文書処理装置１とその周辺の接続構成の一例を示す図である。
【００２１】
図１に示すように、文書処理装置１、各種のデータを保管するファイルサーバ２、画像または文書の入力等を行う読取装置としてのスキャナ３、および画像または文書を印刷して出力する出力装置としてのプリンタ４が、イントラネット等のＬＡＮ（Ｌｏｃａｌ　Ａｒｅａ　Ｎｅｔｗｏｒｋ）５に接続し、また、ＬＡＮはインターネット等のネットワーク６に接続し、ネットワーク６には各種情報の発信を行うＷｅｂサーバ７が接続されている。
【００２２】
ここで、文書処理装置１はファイルサーバ２で保管されている文書、およびＷｅｂサーバ７から発信される情報であるＨＴＭＬ（ＨｙｐｅｒＴｅｘｔ　Ｍａｒｋｕｐ　Ｌａｎｇｕａｇｅ）文書等を取得し、取得したフォーマットの異なる各種文書を１つのフォーマットのドキュメントとして編集することができる。
【００２３】
図２は、文書処理装置１の概略構成の一例を示すブロック図である。
【００２４】
図２に示すように、文書処理装置１はＬＡＮ５と接続してスキャナ３、プリンタ４、ファイルサーバ２、ネットワーク６上のＷｅｂサーバ７等とデータの送受信を行う通信制御部８、文書を取得する文書取得部９、文書の位置情報を取得する位置情報取得部１０、位置情報を文書に付帯する位置情報付帯部１１、ドキュメントの合成および編集等を行うドキュメント編集部１２、ドキュメント等を記憶する記憶部１３、表示部１４、入力部１５、ドキュメントとして編集した文書が更新されているか確認する更新確認部１６から構成されている。
【００２５】
なお、位置情報は、取得した文書の保管場所を示す情報であり、位置情報として、例えば、ＵＲＬ（Ｕｎｉｆｏｒｍ　Ｒｅｓｏｕｒｃｅ　Ｌｏｃａｔｏｒ）、ファイルシステム上のＦｉｌｅ　Ｐａｔｈ等が挙げられる。
【００２６】
図３は、文書処理装置１がファイルサーバ２およびＷｅｂサーバ７から文書を取得し、取得した文書をドキュメントとして編集する際に行う動作の一例について説明する図である。
【００２７】
まず、ユーザは文書処理装置からファイルサーバにアクセスし、アクセスしたファイルサーバに保管されている文書Ａをドキュメントとして編集するために、文書取得部は文書Ａをファイルサーバから取得する（Ｓ３０１）。
【００２８】
そして、文書取得部で文書Ａを取得する際に、位置情報取得部がファイルサーバにおける文書Ａの保管場所を示す位置情報をファイルサーバから取得する（Ｓ３０２）。なお、文書Ａが複数の頁から構成される文書であれば、位置情報取得部は文書Ａの各頁における位置情報を取得する。
【００２９】
そして、位置情報付帯部は、文書取得部で取得した文書Ａに、位置情報取得部で取得した位置情報を付帯する（Ｓ３０３）。なお、文書Ａが複数の頁から構成され、文書Ａの各頁における位置情報を取得した際には、文書Ａの各頁毎に各頁における位置情報を付帯する。
【００３０】
そして、ユーザは文書Ａの複数の頁の中からドキュメントとして編集したい頁である文書Ａ１を抽出する（Ｓ３０４）。なお、文書Ａの全頁をドキュメントとして抽出することも可能である。
【００３１】
また、ユーザは文書処理装置からＷｅｂサーバにアクセスし、アクセスしたＷｅｂサーバから発信されるＨＴＭＬ文書等である文書Ｂをドキュメントとして編集するために、文書取得部は文書ＢをＷｅｂサーバから取得する（Ｓ３０５）。
【００３２】
そして、文書取得部で文書Ｂを取得する際に、位置情報取得部がＷｅｂサーバにおける文書Ｂの保管場所を示す位置情報をＷｅｂサーバから取得する（Ｓ３０６）。なお、文書Ｂが複数の頁から構成される文書であれば、位置情報取得部は文書Ｂの各頁における位置情報を取得する。
【００３３】
そして、位置情報付帯部は、文書取得部で取得した文書Ｂに、位置情報取得部で取得した位置情報を付帯する（Ｓ３０７）。なお、文書Ｂが複数の頁から構成され、文書Ｂの各頁における位置情報を取得した際には、文書Ｂの各頁毎に各頁における位置情報を付帯する。
【００３４】
そして、ユーザは文書Ｂの複数の頁の中からドキュメントとして編集したい頁である文書Ｂ１を抽出する（Ｓ３０８）。なお、文書Ｂの全頁をドキュメントとして抽出することも可能である。
【００３５】
そして、ドキュメント編集部は、編集したい文書として抽出した文書Ａ１と文書Ｂ１とをドキュメントとして合成する（Ｓ３０９）。なお、文書Ａ１と文書Ｂ１とがドキュメントとして合成されても、位置情報Ａ１が文書Ａ１に付帯し、位置情報Ｂ１が文書Ｂ１に付帯したままになっている。
【００３６】
つまり、ドキュメントの編集として、頁分割または他のドキュメントとのマージ操作を行っても、各ページと位置情報との関係は失われない。
【００３７】
ここで、文書Ａ１と文書Ｂ１とを合成したドキュメントは、記憶部に記憶される。
【００３８】
図４は、記憶部に記憶しているドキュメントを表示部で表示する際に、文書処理装置が行う動作の一例について説明する図である。
【００３９】
まず、ユーザがドキュメントを表示部に表示する指示を入力部に入力すると、更新確認部は、記憶部に記憶されているドキュメントの文書Ａ１に付帯する位置情報Ａ１に基づいて文書Ａ１が更新されているか否かファイルサーバに問い合わせる（Ｓ４０１）。また、Ｗｅｂサーバに確認することにより、文書Ｂ１に付帯する位置情報Ｂ１に基いて文書Ｂ１が更新されているか否かを確認（Ｓ４０２）。
【００４０】
そして、文書Ａ１が更新されていることを確認すると、文書取得部は更新された文書Ａ１’をファイルサーバから取得する（Ｓ４０３）。また、文書Ｂ１が更新されていることを確認すると、文書取得部は更新された文書Ｂ１’をＷｅｂサーバから取得する（Ｓ４０４）。
【００４１】
ここで、文書取得部が文書Ａ１’および文書Ｂ１’を取得すると、更新前の文書である文書Ａ１および文書Ｂ１を削除する（Ｓ４０５）。
【００４２】
そして、位置情報付帯部は、文書取得部で取得した文書Ａ１’に位置情報Ａ１を付帯する（Ｓ４０６）。また、位置情報付帯部は、文書取得部で取得した文書Ｂ１’に位置情報Ｂ１を付帯する（Ｓ４０７）。
【００４３】
そして、ドキュメント編集部は、文書Ａ１’と文書Ｂ１’とをドキュメントとして合成し（Ｓ４０８）、合成されたドキュメントは表示部に表示される。
【００４４】
なお、文書の更新が確認された場合、文書処理装置は更新された文書をドキュメントとして合成することについて、ユーザに同意を求め、ユーザが承諾した際に、更新された文書をドキュメントとして合成する構成にしても良い。また、文書の更新が確認された場合、更新前の文書を削除せずに記憶部に保存し続ける構成でも良いし、更新前の文書の保存／削除についてユーザの指示を仰ぐ構成でも良い。
【００４５】
次に、文書処理装置１がファイルサーバ２およびＷｅｂサーバ７等から取得した文書をドキュメントとして編集する処理手順について図５に示すフローチャートを参照にして説明する。
【００４６】
ファイルサーバ若しくはＷｅｂサーバ等から文書を取得し（ステップＳ５０１）、取得した文書のファイルサーバ若しくはＷｅｂサーバにおける保管場所を示す位置情報を取得し（ステップＳ５０２）、文書が複数の頁から構成されている場合、文書の全頁に位置情報を付帯し（ステップＳ５０３）、位置情報が付帯された文書をドキュメントとして編集し（ステップＳ５０４）、編集したドキュメントの表示または格納を行い（ステップＳ５０５）、処理手順を終了する。
【００４７】
次に、ドキュメントを表示部１４に表示する際に、文書処理装置１が行う処理手順について図６に示すフローチャートを参照して説明する。
【００４８】
ユーザがドキュメントの表示の指示を行い（ステップＳ６０１）、ドキュメントの各頁に付帯する位置情報を全頁分抽出し（ステップＳ６０２）、ｎ＝１とし（ステップＳ６０３）、ｎ頁に付帯する位置情報に基づき、ｎ頁の文書が保管されているファイルサーバ若しくはＷｅｂサーバにアクセスしてｎ頁の文書が更新されているか否か確認する（ステップＳ６０４）。
【００４９】
そして、ｎ頁の文書が更新されている場合（ステップＳ６０５でＹＥＳ）、更新された文書をファイルサーバ若しくはＷｅｂサーバから取得し（ステップＳ６０６）、取得した文書に位置情報を付帯し（ステップＳ６０７）、ｎ＝ｎ＋１とし（ステップＳ６０８）、ｎページが存在する場合（ステップＳ６０９でＹＥＳ）、ステップＳ６０４に戻り、ｎ頁の文書の更新を確認する。
【００５０】
また、ステップＳ６０５において、ｎ頁の文書が更新されていない場合（ステップＳ６０５でＮＯ）、ステップＳ６０８に進む。
【００５１】
そして、ｎ頁が存在しない場合（ステップＳ６０９でＮＯ）、１〜ｎ頁の文書をドキュメントとして編集し（ステップＳ６１０）、編集したドキュメントを表示するとともに、格納し（ステップＳ６１１）、処理手順を終了する。
【００５２】
なお、上記実施例で説明した文書処理装置と同様の動作を行うことが可能な文書処理プログラムを、一般的なＰＣ（Ｐｅｒｓｏｎａｌ　Ｃｏｍｐｕｔｅｒ）にインストールする構成でも適用可能である。
【００５３】
従って、規格書または価格表等のような更新が頻繁に行われる文書等をドキュメントとして作成しても、ドキュメントを閲覧する際に、文書の更新の有無を自動的に確認するので、ユーザ自らがドキュメントを管理する必要がなくなる。
【００５４】
また、ドキュメントの各頁毎にデータソースの保管場所を示す位置情報を付帯するので、複数のデータソースから取得した文書を組み合わせたドキュメントを作成することができる。
【００５５】
【発明の効果】
以上説明したように本発明によれば、データベースから引用してドキュメント作成を行っても、データベースの更新に合わせて最新の情報をドキュメントに反映することが可能になるという効果を奏する。
【図面の簡単な説明】
【図１】本発明に係わる文書処理装置１とその周辺の接続構成の一例を示す図である。
【図２】文書処理装置１の概略構成の一例を示すブロック図である。
【図３】文書処理装置１がファイルサーバ２およびＷｅｂサーバ７から文書を取得し、取得した文書をドキュメントとして編集する際に行う動作の一例について説明する図である。
【図４】記憶部に記憶しているドキュメントを表示部で表示する際に、文書処理装置が行う動作の一例について説明する図である。
【図５】文書処理装置１がファイルサーバ２およびＷｅｂサーバ７等から取得した文書をドキュメントとして編集する処理手順を示すフローチャートである。
【図６】ドキュメントを表示部１４に表示する際に、文書処理装置１が行う処理手順を示すフローチャートである。
【符号の説明】
１　　文書処理装置
２　　ファイルサーバ
３　　スキャナ
４　　プリンタ
５　　ＬＡＮ
６　　ネットワーク
７　　Ｗｅｂサーバ
８　　通信制御部
９　　文書取得部
１０　　位置情報取得部
１１　　位置情報付帯部
１２　　ドキュメント編集部
１３　　記憶部
１４　　表示部
１５　　入力部
１６　　更新確認部
【図１】
2004102599.tif 000003
【図２】
2004102599.tif 000004
【図３】
2004102599.tif 000005
【図４】
2004102599.tif 000006
【図５】
2004102599.tif 000007
【図６】
2004102599.tif 000008